(57)【要約】  デジタルブロードキャスト通信システムにおけるブロードキャストサービスデータ構成方法及び装置を提供する。上記方法は、第１のタイプのブロードキャストサービスデータに対応する第１のゾーンと第２のタイプのブロードキャストサービスデータに対応する第２のゾーンとを個別にフレームにマッピングする。好ましく、第１のゾーン及び第２のゾーンに含まれるブロードキャストサービスデータは、各ゾーンに対する異なるサービス分割回数に従ってサブスライスに分割される。【選択図】図７
2011511546.tif 000002
【特許請求の範囲】
【請求項１】
デジタルブロードキャスト通信システムにおけるブロードキャストサービスデータ構成方法であって、
第１のタイプのブロードキャストサービスデータに対応する第１のゾーンと第２のタイプのブロードキャストサービスデータに対応する第２のゾーンとを個別にフレームにマッピングするステップを有し、
前記第１のゾーン及び前記第２のゾーンに含まれるブロードキャストサービスデータは、各ゾーンに対する異なるサービス分割回数に従ってサブスライスに分割されることを特徴とするブロードキャストサービスデータ構成方法。
【請求項２】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項１に記載のブロードキャストサービスデータ構成方法。
【請求項３】
前記ブロードキャストサービスデータは、各ゾーンに対するサービス分割回数に対応するサブスライスに分割されることを特徴とする請求項１に記載のブロードキャストサービスデータ構成方法。
【請求項４】
前記各ゾーンで同一のブロードキャストサービスに属する前記サブスライス間の間隔は、前記各ゾーンで最大に離隔することを特徴とする請求項３に記載のブロードキャストサービスデータ構成方法。
【請求項５】
前記第１のゾーンのサービス分割回数は、前記第２のゾーンのサービス分割回数より小さいことを特徴とする請求項１に記載のブロードキャストサービスデータ構成方法。
【請求項６】
前記第１のゾーン及び前記第２のゾーンは、各ゾーンが時間領域で連続して割り当てられる時間分割多重化（ＴＤＭ）方式を用いて前記フレームにマッピングされることを特徴とする請求項１に記載のブロードキャストサービスデータ構成方法。
【請求項７】
前記第１のゾーン及び前記第２のゾーンは、分散形態で各ゾーンが時間領域で分散されるように前記フレームにマッピングされることを特徴とする請求項１に記載のブロードキャストサービスデータ構成方法。
【請求項８】
デジタルブロードキャスト通信システムにおけるブロードキャストサービスデータを含むフレームであって、
前記フレームは、第１のタイプのブロードキャストサービスデータに対応する第１のゾーンと第２のタイプのブロードキャストサービスデータに対応する第２のゾーンとが個別に前記フレームにマッピングされ、前記第１のゾーン及び前記第２のゾーンに含まれるブロードキャストサービスデータは、各ゾーンに対する異なるサービス分割回数に従ってサブスライスに分割されることを特徴とするブロードキャストサービスデータを含むフレーム。
【請求項９】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項８に記載のブロードキャストサービスデータを含むフレーム。
【請求項１０】
前記ブロードキャストサービスデータは、各ゾーンに対するサービス分割回数に対応するサブスライスに分割されることを特徴とする請求項８に記載のブロードキャストサービスデータを含むフレーム。
【請求項１１】
前記各ゾーンで同一のブロードキャストサービスに属する前記サブスライス間の間隔は、前記各ゾーンで最大に離隔することを特徴とする請求項１０に記載のブロードキャストサービスデータを含むフレーム。
【請求項１２】
前記第１のゾーンのサービス分割回数は、前記第２のゾーンのサービス分割回数より小さいことを特徴とする請求項８に記載のブロードキャストサービスデータを含むフレーム。
【請求項１３】
前記第１のゾーン及び前記第２のゾーンは、各ゾーンが時間領域で連続して割り当てられる時間分割多重化（ＴＤＭ）方式を用いて前記フレームにマッピングされることを特徴とする請求項８に記載のブロードキャストサービスデータを含むフレーム。
【請求項１４】
前記第１のゾーン及び前記第２のゾーンは、分散形態で各ゾーンが時間領域で分散されるように前記フレームにマッピングされることを特徴とする請求項８に記載のブロードキャストサービスデータを含むフレーム。
【請求項１５】
デジタルブロードキャスト通信システムにおけるブロードキャストサービスデータ送信方法であって、
第１のタイプのブロードキャストサービスデータに対応する第１のゾーンと第２のタイプのブロードキャストサービスデータに対応する第２のゾーンとを個別にフレームにマッピングするステップと、
前記フレームを送信するステップと、を有し、
前記第１のゾーン及び前記第２のゾーンに含まれるブロードキャストサービスデータは、各ゾーンに対する異なるサービス分割回数に従ってサブスライスに分割されることを特徴とするブロードキャストサービスデータ送信方法。
【請求項１６】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項１５に記載のブロードキャストサービスデータ送信方法。
【請求項１７】
前記ブロードキャストサービスデータは、各ゾーンに対するサービス分割回数に対応するサブスライスに分割されることを特徴とする請求項１５に記載のブロードキャストサービスデータ送信方法。
【請求項１８】
前記各ゾーンで同一のブロードキャストサービスに属する前記サブスライス間の間隔は、前記各ゾーンで最大に離隔することを特徴とする請求項１７に記載のブロードキャストサービスデータ送信方法。
【請求項１９】
前記第１のゾーンのサービス分割回数は、前記第２のゾーンのサービス分割回数より小さいことを特徴とする請求項１５に記載のブロードキャストサービスデータ送信方法。
【請求項２０】
前記第１のゾーン及び前記第２のゾーンは、各ゾーンが時間領域で連続して割り当てられる時間分割多重化（ＴＤＭ）方式を用いて前記フレームにマッピングされることを特徴とする請求項１５に記載のブロードキャストサービスデータ送信方法。
【請求項２１】
前記第１のゾーン及び前記第２のゾーンは、分散形態で各ゾーンが時間領域で分散されるように前記フレームにマッピングされることを特徴とする請求項１５に記載のブロードキャストサービスデータ送信方法。
【請求項２２】
デジタルブロードキャスト通信システムにおけるブロードキャストサービスデータ受信方法であって、
前記ブロードキャストサービスデータが含まれるフレームを受信するステップを有し、
第１のタイプのブロードキャストサービスデータに対応する第１のゾーンと第２のタイプのブロードキャストサービスデータに対応する第２のゾーンとが個別に前記フレームにマッピングされ、前記第１のゾーン及び前記第２のゾーンに含まれるブロードキャストサービスデータは、各ゾーンに対する異なるサービス分割回数に従ってサブスライスに分割されることを特徴とするブロードキャストサービスデータ受信方法。
【請求項２３】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項２２に記載のブロードキャストサービスデータ受信方法。
【請求項２４】
前記ブロードキャストサービスデータは、各ゾーンに対するサービス分割回数に対応するサブスライスに分割されることを特徴とする請求項２２に記載のブロードキャストサービスデータ受信方法。
【請求項２５】
前記各ゾーンで同一のブロードキャストサービスに属する前記サブスライス間の間隔は、前記各ゾーンで最大に離隔することを特徴とする請求項２４に記載のブロードキャストサービスデータ受信方法。
【請求項２６】
前記第１のゾーンのサービス分割回数は、前記第２のゾーンのサービス分割回数より小さいことを特徴とする請求項２２に記載のブロードキャストサービスデータ受信方法。
【請求項２７】
前記第１のゾーン及び前記第２のゾーンは、各ゾーンが時間領域で連続して割り当てられる時間分割多重化（ＴＤＭ）方式を用いて前記フレームにマッピングされることを特徴とする請求項２２に記載のブロードキャストサービスデータ受信方法。
【請求項２８】
前記第１のゾーン及び前記第２のゾーンは、分散形態で各ゾーンが時間領域で分散されるように前記フレームにマッピングされることを特徴とする請求項２２に記載のブロードキャストサービスデータ受信方法。
【請求項２９】
デジタルブロードキャスト通信システムにおけるブロードキャストサービスデータ送信装置であって、
第１のタイプのブロードキャストサービスデータに対応する第１のゾーンと第２のタイプのブロードキャストサービスデータに対応する第２のゾーンとを個別にフレームにマッピングすることにより前記フレームを構成するフレーム構成器と、
前記構成されたフレームを送信するフレーム送信器と、を具備し、
前記第１のゾーン及び前記第２のゾーンに含まれるブロードキャストサービスデータは、各ゾーンに対する異なるサービス分割回数に従ってサブスライスに分割されることを特徴とするブロードキャストサービスデータ送信装置。
【請求項３０】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項２９に記載のブロードキャストサービスデータ送信装置。
【請求項３１】
前記ブロードキャストサービスデータは、各ゾーンに対するサービス分割回数に対応するサブスライスに分割されることを特徴とする請求項２９に記載のブロードキャストサービスデータ送信装置。
【請求項３２】
前記各ゾーンで同一のブロードキャストサービスに属する前記サブスライス間の間隔は、前記各ゾーンで最大に離隔することを特徴とする請求項３１に記載のブロードキャストサービスデータ送信装置。
【請求項３３】
前記第１のゾーンのサービス分割回数は、前記第２のゾーンのサービス分割回数より小さいことを特徴とする請求項２９に記載のブロードキャストサービスデータ送信装置。
【請求項３４】
前記第１のゾーン及び前記第２のゾーンは、各ゾーンが時間領域で連続して割り当てられる時間分割多重化（ＴＤＭ）方式を用いて前記フレームにマッピングされることを特徴とする請求項２９に記載のブロードキャストサービスデータ送信装置。
【請求項３５】
前記第１のゾーン及び前記第２のゾーンは、分散形態で各ゾーンが時間領域で分散されるように前記フレームにマッピングされることを特徴とする請求項２９に記載のブロードキャストサービスデータ送信装置。
【請求項３６】
デジタルブロードキャスト通信システムにおけるブロードキャストサービスデータ受信装置であって、
前記ブロードキャストサービスデータが含まれるフレームを受信し、該受信したフレームを復調する受信器を具備し、
第１のタイプのブロードキャストサービスデータに対応する第１のゾーンと第２のタイプのブロードキャストサービスデータに対応する第２のゾーンとが個別に前記フレームにマッピングされ、前記第１のゾーン及び前記第２のゾーンに含まれるブロードキャストサービスデータは、各ゾーンに対する異なるサービス分割回数に従ってサブスライスに分割されることを特徴とするブロードキャストサービスデータ受信装置。
【請求項３７】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項３６に記載のブロードキャストサービスデータ受信装置。
【請求項３８】
前記ブロードキャストサービスデータは、各ゾーンに対するサービス分割回数に対応するサブスライスに分割されることを特徴とする請求項３６に記載のブロードキャストサービスデータ受信装置。
【請求項３９】
前記各ゾーンで同一のブロードキャストサービスに属する前記サブスライス間の間隔は、前記各ゾーンで最大に離隔することを特徴とする請求項３８に記載のブロードキャストサービスデータ受信装置。
【請求項４０】
前記第１のゾーンのサービス分割回数は、前記第２のゾーンのサービス分割回数より小さいことを特徴とする請求項３６に記載のブロードキャストサービスデータ受信装置。
【請求項４１】
前記第１のゾーン及び前記第２のゾーンは、各ゾーンが時間領域で連続して割り当てられる時間分割多重化（ＴＤＭ）方式を用いて前記フレームにマッピングされることを特徴とする請求項３６に記載のブロードキャストサービスデータ受信装置。
【請求項４２】
前記第１のゾーン及び前記第２のゾーンは、分散形態で各ゾーンが時間領域で分散されるように前記フレームにマッピングされることを特徴とする請求項３６に記載のブロードキャストサービスデータ受信装置。
【発明の詳細な説明】
【技術分野】
【０００１】
本発明は、１つの無線周波数（ＲＦ）を用いてブロードキャストサービスデータを送受信するブロードキャスト通信システムに関し、より詳細には、ブロードキャスト通信システムにおける複数のブロードキャストサービスで構成されるフレームを送受信するための方法及び装置、並びに上記フレームの構成方法及びそのフレームに関する。
【背景技術】
【０００２】
２１世紀の情報化社会におけるブロードキャスト通信サービスは、本格的なデジタル化、多チャネル化、広帯域化、及び高品質化の時代を迎えている。特に、最近、高画質デジタルＴＶ及び携帯マルチメディアプレーヤー（ＰＭＰ）、携帯ブロードキャストデバイスの普及が拡大するに伴ってデジタルブロードキャストサービスでも様々な受信方式の支援に対する要求が増大している。
【０００３】
このような要求に応じて、ヨーロッパ向けの第２世代の地上波デジタルブロードキャスト規格であるＤＶＢ−Ｔ２（Ｄｉｇｉｔａｌ  Ｖｉｄｅｏ  Ｂｒｏａｄｃａｓｔｉｎｇ−Ｔｅｒｒｅｓｔｒｉａｌ）は、３つの受信方式に対するそれぞれの標準を進めている。１つは、従来の家庭用デジタル受信アンテナを再使用する受信方式であり、他の１つは、容量増大のために複数のアンテナを使用する受信方式であり、もう１つは、携帯用移動端末のための受信方式である。第１世代の地上波デジタルブロードキャスト規格であるＤＶＢ−Ｔ／Ｈが固定型受信方式及び移動型受信方式の２つのみを考慮するのに比べて、ＤＶＢ−Ｔ２は、複数のアンテナを用いる受信方式を付加的に考慮する。ＤＶＢ−Ｔ２規格は、物理レイヤー構成及びこの物理レイヤー構成に基づく制御情報を変更する動作を主な標準化作業として考慮している。
【０００４】
物理レイヤー構成において、制御チャネルは、物理レイヤーでの送信方式に対する制御メッセージを送信するチャネルを意味する。送信信号の基本単位をフレームであると定義すると、１つのフレームは、複数のサービスで構成され、各サービスに対するサービスインデックス、位置情報、変調方式／符号化率、及びセル識別子（ＩＤ）などを含むことができる。制御チャネルは、フレームごとにサービス構成及び関連情報が変わり得るので、フレームごとにデータチャネルとは別途に送信され得る。また、端末がサービスチャネルを受信するためには制御チャネルに対する復調が最初に実行されなければならないので、この制御チャネルは、先ずフレーム内に位置し、その次に複数のサービスが配置されなければならない。下記の説明において、ブロードキャストシステムにおける制御チャネルは、Ｐ２プリアンブルと呼ばれる。
【０００５】
図１は、従来の第１世代のブロードキャストシステムを示す固定周波数（ＦＦ）モードでブロードキャストサービスを送受信する方式を示す図である。
【０００６】
図１を参照すると、送信器１０２は、複数のＲＦごとに異なるブロードキャストサービスを送信し、受信器１０４は、所望のサービスを含むＲＦにチューニングすることにより所望のサービスを受信する。例えば、受信器１０４は、サービス１の受信を希望する場合に、その受信モジュールをＲＦ１にチューニングし、Ｐ２プリアンブルを介してサービス１に関する位置情報及び変調／符号化方式のような情報を取得した後にサービス１を復調する。
【０００７】
図１に示すように、任意のＲＦチャネルで１つのフレームを構成する複数のサービスを説明すると、各サービスが相互に異なる送信データ率を有するために、時間領域での各サービスの長さは異なる。この場合、高い送信データ率を有するサービスは、時間領域で長い送信期間を有するために時間ダイバーシティが十分になされると見なすことができるが、低い送信データ率を有するサービスは、相対的に非常に短い送信期間を有するためにダイバーシティ利得が十分に得られると見なすことができない。特に、ブロードキャストシステムがインパルス雑音に非常に敏感であるため、時間軸で１つのＯＦＤＭシンボルでない複数のＯＦＤＭシンボルが損傷を受けることがある。このように、低い送信データ率を有するサービスが少数のシンボルでなされるため、このサービスに対応する大部分のデータは、インパルス雑音が発生する際に損傷することがあり、これにより、フレーム内で対応するサービスが全く復調することができない場合が発生し得る。
【０００８】
従って、送信サービスが時間ダイバーシティ利得を得ることができるようにするために、各サービスは、時間領域で２つ以上の複数の小さいサービスに分割することができる。この際に、小さいサイズを有するこの分割されたサブサービスをサブスライス（ｓｕｂ−ｓｌｉｃｅ）と称する。このようなサービス分割を実行すると、サービス分割回数が大きくなるほど時間領域で得られることができるダイバーシティ利得が大きくなる。一般的に、非常に高いダイバーシティ利得を取得するためには数百個までのサービス分割回数を考慮することもできる。
【０００９】
以下、本明細書において、図２及び図３を参照して、従来のブロードキャスト通信システムにおけるサービス分割を用いてフレームを構成する方法について説明する。
【００１０】
図２は、４つの論理サービスが配置されている従来のフレーム構成を示す図である。
【００１１】
図２を参照すると、４つの論理サービスが配置されている従来のフレーム構成を見ることができる。各サービスインデックスが１、２、３、及び４として与えられる際に、４つのサービスは、フレーム内で任意の順序で配置することができる。図２の例において、サービスは、インデックス値が大きい順に配置される。また、サービスの時間期間をそれぞれＴ１、Ｔ２、Ｔ３、及びＴ４で示す。
【００１２】
先ず、１つのフレーム内で論理的に構成されたサービスを、サービス分割を介してフレームに物理的にマッピングさせるためには、各サービスに対するサービス分割が実行されなければならない。例えば、各サービスが４つのサブスライスに分割されると、図２に示すように、対応するサービスが占める時間領域での各サービスに対する送信期間を４で割らなければならない。従って、各サービスは、サブスライス期間Ｔ１／４、Ｔ２／４、Ｔ３／４、及びＴ４／４を有する４つのサブスライスを有する。その結果、フレームを介して送信されなければならない４つのサービスに対して総１６個のサブスライスが生成される。
【００１３】
図３は、サービス分割によりサブスライスで構成された各サービスが物理的にフレーム内に配置されることを示す図である。
【００１４】
図３を参照すると、１つのサービスを構成する４つのサブスライスは、時間ダイバーシティを達成するためにできるだけ遠く離隔しなければならない。また、各サービスが同一の個数のサブスライスで構成されるので、同一のサービスに属しているサブスライス間の距離は同一である。即ち、各サービスが４つのサブスライスに分割されるので、同一のサービスに属しているサブスライス間の間隔、又は距離は、全フレーム期間ＴＦを４で割ることにより得られた値となり、その結果、均一の間隔を有する。例えば、図３は、１番目のサービスに属している４つのサブスライス１−１、１−２、１−３、及び１−４（前の数字は、サービスインデックスを示し、後ろの数字は、サブスライスインデックスを示す）間の間隔ＴＦ／４を示す。同一のサービスに属しているサブスライス間の距離が同一であるので、最初にＴＦ／４期間内に配置された各サービスのサブスライスの順序は、ＴＦ／４ごとに同一に反復される。
【００１５】
上述したように、サービス分割に基づくフレーム内のサービスをマッピングする方法は、低い送信データ率を有するサービスを含む１つのフレーム内で送信されるサービスに対するダイバーシティ利得を得るためである。
【００１６】
この際に、１つのフレームでの対応するサービスが複数のサブスライスで構成されるので、受信器は、受信すべきターゲットサービスを受信するためにサブスライスの個数だけ復調実行回数を必要とする。即ち、図２及び図３に示すように、各サービスが４つのサブスライスで構成されていると仮定すると、受信端末が１つのフレーム時間期間の間に４回の復調を実行しなければならないため、復調実行と復調未実行間のスイッチングが４回発生する。
【００１７】
しかしながら、この受信動作を固定型端末ではない移動型端末で考慮してみると、サブスライス期間だけ復調を実行したが、次のサブスライスを受信するまで復調を実行しない動作がサブスライス個数だけ反復する。このような動作は、移動型端末が消費しなければならない電力を増加させ、電力消費の観点で大きい負担となる。即ち、移動型端末の立場では、サービスの時間ダイバーシティ利得を得るために実行したサービス分割がバッテリーの大きい電力消費を要求することにより電力の観点で問題となる。
【００１８】
従って、固定型端末を考慮するにあたり、できるだけ多くの回数のサービス分割を実行することが好ましい。逆に、移動型端末に対してサービス分割なしに（即ち、１つのサービスに対応するサブスライスの個数が１つである）１つのサービスを時間領域で継続して送信するか又はできるだけ少ない回数のサービス分割を実行することが好ましい。
【００１９】
しかしながら、固定型端末及び移動型端末の全てを考慮するために、様々な種類のサービス分割回数を用いて（例えば、１つの固定型端末用サービスは、１００個のサブスライスで構成され、１つの移動型端末用サービスは、４つのサブスライスで構成される）フレーム内のサービスを物理的にマッピングする場合には、同一のサービスに属しているサブスライス間の間隔が同一ではない。
【００２０】
これは、固定型及び移動型端末のための全てのサブスライスに対して、基地局がフレーム内の位置情報の全てをシグナリングしなければならないことを意味する。例えば、フレーム内の位置情報を示すために２０ビットのオーバーヘッドが必要であり、固定型端末のための４つのサービスと移動型端末のための１つのサービスとは、１つのフレームを介して送信され、固定型端末用サービスは、４つのサブスライスにマッピングされ、移動型端末用サービスは、１つのサブスライスにマッピングされると仮定する。この場合に、総１７個のサブスライスがフレーム内に存在するので、総１７個の位置情報のためのシグナリングは、２０×１７＝３４０ビットを要求し、これにより、シグナリングオーバーヘッドが大きくなる問題がある。
【００２１】
従って、ブロードキャストサービスの受信性能を向上させる装置及び方法に対する必要性が高まっている。
【発明の概要】
【発明が解決しようとする課題】
【００２２】
本発明は、上記従来の問題点に鑑みてなされたものであり、本発明の目的は、ブロードキャスト通信システムにおける固定型及び移動型端末に送信されるブロードキャストサービスの受信性能を向上させることができる装置及び方法を提供することにある。
本発明の他の目的は、ブロードキャスト通信システムにおける固定型端末に対するブロードキャストサービスデータ及び移動型端末に対するブロードキャストサービスデータを送受信する方法及び装置を提供することにある。
本発明の更に他の目的は、ブロードキャスト通信システムにおける複数のサービスを、サービス分割を介してフレームに物理的にマッピングさせるフレーム構成方法及びそのフレームを提供することにある。
【課題を解決するための手段】
【００２３】
上記目的を達成するために、本発明の一態様によれば、デジタルブロードキャスト通信システムにおけるブロードキャストサービスデータ構成方法を提供する。前記方法は、第１のタイプのブロードキャストサービスデータに対応する第１のゾーンと第２のタイプのブロードキャストサービスデータに対応する第２のゾーンとを個別にフレームにマッピングするステップを有し、前記第１のゾーン及び前記第２のゾーンに含まれるブロードキャストサービスデータは、各ゾーンに対する異なるサービス分割回数に従ってサブスライスに分割されることを特徴とする。
【００２４】
本発明の他の態様によれば、デジタルブロードキャスト通信システムにおけるブロードキャストサービスデータを含むフレームを提供する。前記フレームは、第１のタイプのブロードキャストサービスデータに対応する第１のゾーンと第２のタイプのブロードキャストサービスデータに対応する第２のゾーンとが個別に前記フレームにマッピングされ、前記第１のゾーン及び前記第２のゾーンに含まれるブロードキャストサービスデータは、各ゾーンに対する異なるサービス分割回数に従ってサブスライスに分割されることを特徴とする。
【００２５】
本発明の更に他の態様によれば、デジタルブロードキャスト通信システムにおけるブロードキャストサービスデータ送信方法を提供する。前記方法は、第１のタイプのブロードキャストサービスデータに対応する第１のゾーンと第２のタイプのブロードキャストサービスデータに対応する第２のゾーンとを個別にフレームにマッピングするステップと、前記フレームを送信するステップと、を有し、前記第１のゾーン及び前記第２のゾーンに含まれるブロードキャストサービスデータは、各ゾーンに対する異なるサービス分割回数に従ってサブスライスに分割されることを特徴とする。
【００２６】
本発明の更なる他の態様によれば、デジタルブロードキャスト通信システムにおけるブロードキャストサービスデータ受信方法を提供する。前記方法は、前記ブロードキャストサービスデータが含まれるフレームを受信するステップを有し、第１のタイプのブロードキャストサービスデータに対応する第１のゾーンと第２のタイプのブロードキャストサービスデータに対応する第２のゾーンとが個別にフレームにマッピングされ、前記第１のゾーン及び前記第２のゾーンに含まれるブロードキャストサービスデータは、各ゾーンに対する異なるサービス分割回数に従ってサブスライスに分割されることを特徴とする。
【００２７】
本発明の更なる他の１つの態様によれば、デジタルブロードキャスト通信システムにおけるブロードキャストサービスデータ送信装置を提供する。前記装置は、第１のタイプのブロードキャストサービスデータに対応する第１のゾーンと第２のタイプのブロードキャストサービスデータに対応する第２のゾーンとを個別にフレームにマッピングすることにより前記フレームを構成するフレーム構成器と、前記構成されたフレームを送信するフレーム送信器と、を具備し、前記第１のゾーン及び前記第２のゾーンに含まれるブロードキャストサービスデータは、各ゾーンに対する異なるサービス分割回数に従ってサブスライスに分割されることを特徴とする。
【００２８】
本発明の更にまた他の態様によれば、デジタルブロードキャスト通信システムにおけるブロードキャストサービスデータ受信装置を提供する。前記装置は、前記ブロードキャストサービスデータが含まれるフレームを受信し、該受信したフレームを復調する受信器を具備し、第１のタイプのブロードキャストサービスデータに対応する第１のゾーンと第２のタイプのブロードキャストサービスデータに対応する第２のゾーンとが個別に前記フレームにマッピングされ、前記第１のゾーン及び前記第２のゾーンに含まれるブロードキャストサービスデータは、各ゾーンに対する異なるサービス分割回数に従ってサブスライスに分割されることを特徴とする。
【発明の効果】
【００２９】
本発明は、１つのＲＦを使用して送信される複数のブロードキャストサービスで構成されるフレームに対してサービス分割回数に基づくゾーンを定義し、対応するゾーンに含まれているブロードキャストサービスに対して効率的に物理的なマッピングを実行することにより、固定型及び移動型端末の全てに対するブロードキャストサービスデータの送受信を同時にサポートすることができる。
【００３０】
その結果、本発明は、移動型端末用サービスに対しては電力消費を減少させることができ、固定型端末用サービスに対しては時間ダイバーシティ利得を大きく取得することができる。
【図面の簡単な説明】
【００３１】
【図１】従来の第１世代のブロードキャストシステムを示す固定型周波数（ＦＦ）モードでブロードキャストサービスを送受信する方式を示す図である。
【図２】ブロードキャスト通信システムにおいてサービス分割を用いてフレームを論理的に構成する従来の方法を示す図である。
【図３】ブロードキャスト通信システムにおいてサービス分割を用いてフレームを物理的に構成する従来の方法を示す図である。
【図４】本発明の一実施形態によるブロードキャスト通信システムにおいてサービス分割に基づく複数のゾーンを用いてフレームを論理的に構成する方法を示す図である。
【図５】本発明の一実施形態によるブロードキャスト通信システムにおいてサービス分割に基づく複数のゾーンを用いてＴＤＭ方式によりフレームを構成する方法を示す図である。
【図６】本発明の一実施形態によるブロードキャスト通信システムにおいてサービス分割に基づく複数のゾーンを用いてダイバーシティ方式によりフレームを構成する方法を示す図である。
【図７】本発明の一実施形態によるダイバーシティ方式に基づくゾーンマッピングで各ゾーンが異なるサブゾーンの個数を有する例を示す図である。
【図８】本発明の一実施形態による送信器での動作を示す図である。
【図９】本発明の一実施形態による受信器での動作を示す図である。
【図１０】本発明の一実施形態による送信器を示す図である。
【図１１】本発明の一実施形態による受信器を示す図である。
【発明を実施するための形態】
【００３２】
本発明の他の目的、利点、及び顕著な特徴は、添付の図面及び本発明の実施形態からなされた以下の詳細な説明から、この分野の当業者に明確になるはずである。
【００３３】
添付の図面を参照した下記の説明は、特許請求の範囲の記載及びこれと均等なものの範囲内で定められるような本発明の実施形態の包括的な理解を助けるために提供するものであり、この理解を助けるための様々な特定の詳細を含むが、唯１つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００３４】
次の説明及び請求項に使用される用語及び単語は、辞典的意味に限定されるものではなく、発明者により本発明の理解を明確にかつ一貫性のあるようにするために使用される。従って、特許請求の範囲とこれと均等なものに基づいて定義されるもので、本発明の実施形態の説明が単に実例を提供するためのもので、本発明の目的を限定するものでないことは、本発明の技術分野における通常の知識を持つ者には明らかである。
【００３５】
英文明細書に記載の“ａ”、“ａｎ”、及び“ｔｈｅ”、即ち、単数形は、コンテキスト中に特記で明示されない限り、複数形を含むことは、当業者には理解される。従って、例えば、“コンポーネント表面（ａ  ｃｏｍｐｏｎｅｎｔ  ｓｕｒｆａｃｅ）”との記載は、１つ又は複数の表面を含む。
【００３６】
図４〜図６は、本発明の一実施形態によるブロードキャスト通信システムにおいてサービス分割に基づく複数のゾーンを用いてフレームを構成する方法を示す図である。
【００３７】
図４を参照すると、例えば、２つのゾーンは、フレーム内に論理的に配置される。この際に、１つのゾーンに割り当てられるサービスの個数は、他のゾーンに割り当てられるサービスの個数とは異なることもある。また、各ゾーンに含まれているサービスは、対応するゾーンに対するサービス分割の回数に従って分割されなければならない。図４では、サブスライスの個数が＃ＳＳで示される。従って、１番目のゾーンに含まれている各サービスは、４回のサービス分割を介して４つのサブスライスに分割され、２番目のゾーンでの各サービスは、サービス当たりの２回のサービス分割が実行されることによりサービス当たりの２つのサブスライスに分割されなければならない。
【００３８】
本実施形態では、説明の便宜上、非常に少ないサービス分割回数を考慮したが、実際に１つのフレームに割り当てられる複数のゾーンは、同時に固定型及び移動型端末へのデータ送信を目標としている。従って、固定型端末のためのゾーンでは、数百個迄の多くのサービス分割回数を使用することができ、移動型端末のためのゾーンでは、２回又は４回の非常に少ないサービス分割回数を使用することができる。この際に、ゾーン別に割り当てられる全てのサービスが対応するゾーンに対するサービス分割個数に従って分割され、１つのフレーム内で正確な数のサブスライスで送信されるためには、ゾーン別サービス分割回数は、対応するゾーンに基づいて決定されなければならない。例えば、２つのゾーンが１つのフレーム内に存在し、１番目のゾーンが３６回のサービス分割回数を有すると、残りの２番目のゾーンは、任意のサービス分割回数を使用するのではなく、３６の約数となる数を使用するようにする。即ち、２番目のゾーンは、数字１、２、３、４、６、９、１２、１８、及び３６の中の１つに対応するサービス分割回数を使用することができる。
【００３９】
図５及び図６は、本実施形態に従って、サービス分割回数により構成された各ゾーンがフレーム内に物理的に配置されることを示す図である。
【００４０】
図５及び図６を参照すると、１つのフレーム内で定義された２つのゾーンがフレーム内に物理的にマッピングされる２種類の方式を見ることができる。
【００４１】
先ず、図５は、１番目のゾーンマッピング方式として１つのゾーンが時間領域で連続して割り当てられる時間分割多重化（ＴＤＭ）方式を示す。即ち、図５は、局部的（ｌｏｃａｌｉｚｅｄ）形態のＴＤＭダイバーシティ方式を用いてゾーンをフレームにマッピングする一例を示す。図４と同様に、複数のゾーンが１つのフレーム内に論理的に割り当てられ、各ゾーンがフレーム内に物理的にマッピングされる。例えば、図４に示すように、ゾーン０では、４つのサービスが存在し、各サービスが４つのサブスライスで構成されるように定義され、同様に、ゾーン１では、４つのサービスが２回のサービス分割を実行するように定義されると仮定する。１番目のゾーンに割り当てられる４つのサービスの構成が１番目の点線ブロックで示される。各点線ブロックにおいて、各サブスライスは、（ｘ，ｙ）で表示され、ｘは、サービスインデックスを示し、ｙは、サブスライスインデックスを示す。即ち、（１，０）は、２番目のサービスの１番目のサブスライスを示し、サービス１のサブスライス０を示す。
【００４２】
対応するゾーン内で最大時間ダイバーシティ利得を得るためには、同一のブロードキャストサービスに属しているサブスライス間の間隔が各ゾーン内で最大に離隔しなければならない。このために、ゾーン０の場合には、サービス分割回数が４回であるので、各サービスは、総４つのサブスライスグループに分割され、各サブスライスグループは、４つのサービスに対応するサブスライスで構成されるようにする。即ち、各サービスに対して１番目のサブスライスのグループであるサブスライスグループ（０，０）、（１，０）、（２，０）、及び（３，０）が最初にマッピングされ、２番目及び３番目のサブスライスグループがその次にマッピングされ、最後に、各サービスに対して４番目のサブスライスでなされたサブスライスグループ（０，３）、（１，３）、（２，３）、（３，３）がマッピングされることを示す。従って、図５から分かるように、ゾーン０で同一のサービスに属しているサブスライス間の間隔Ｄ０は、ゾーン０のサイズを対応するサービス分割回数で割ることにより決定された長さとなる。
【００４３】
一方、２番目のゾーンを示すゾーン１では、各サービスが２つのサブスライスに分割され、ゾーン１に対する点線ブロックを用いてゾーン１に割り当てられた１つ以上のサービスがどのように物理的にマッピングされるかについて説明する。４つのサービスがゾーン１で構成され、サービス分割回数が２であるので、ゾーン１に割り当てられた各サービスは、２つのサブスライスに分割される。その結果、各サービスの１番目のサブスライスのグループであるサブスライスグループ（０，０）、（１，０）、（２，０）、及び（３，０）と各サービスの２番目のサブスライスのグループであるサブスライスグループ（０，１）、（１，１）、（２，１）、及び（３，１）とが生成され、総８個のサブスライスが（０，０）、（１，０）、（２，０）、（３，０）、（０，１）、（１，１）、（２，１）、（３，１）の順にゾーン１にマッピングされる。従って、ゾーン１で同一のサービスに属しているサブスライス間の間隔Ｄ１は、ゾーン１のサイズを対応するサービス分割回数で割ることにより決定された長さとなる。
【００４４】
図６は、２番目のゾーンマッピング方式として１つのゾーンが時間領域で分散方式により分散されるダイバーシティ方式を示す。図４のフレーム内に論理的に割り当てられた複数のゾーンは、図６に示すように小さなサイズのサブゾーンで分散される方式によりフレームに物理的にマッピングされる。各サブゾーンは、（ｘ，ｙ）で表示され、ここで、ｘは、ゾーンインデックスを示し、ｙは、サブゾーンインデックスを示す。従って、１番目のゾーン、即ち、ゾーン０が２つのサブゾーンに分割される場合に、対応するゾーンは、サブゾーンで構成される。本例において、対応するゾーンは、サブゾーン（０，０）及び（０，１）で構成される。
【００４５】
この際に、２つのゾーンが１つのフレーム内に物理的にマッピングされるサブゾーン配置パターンは、各ゾーンに対するサービス分割回数及び各ゾーンに含まれているサービスの個数により決定される。例えば、図４に示すように、各ゾーンが４つのサービスで構成され、ゾーン０に対するサービス分割回数が４であり、ゾーン１のサービス分割回数が２であると仮定すると、サブスライス単位で計算してみる際に、総１６個のサブスライスがゾーン０で生成され、総８個のサブスライスがゾーン１で生成される。ゾーン当たりのサブスライスの総数が各ゾーンに対するサービス個数の整数倍で割り切れる際に、対応する商に対する最小共通数（ここで、１は除外される）は、サブゾーンの個数として決定することができる。
【００４６】
例えば、ゾーン０が４つのサービスを送信するので、総サブスライス数１６が割り切れる数は、４、８、及び１６（サービス個数の整数倍）となり、その商は、それぞれ４、２、及び１となる。一方、ゾーン１が４つのサービスを送信するので、総サブスライス数８が割り切れる数は、４及び８となり、その商は、それぞれ２及び１となる。従って、２つのゾーンの全てに対して上記の条件を満足させる１を除いた最小共通数は、２となる。この結果は、各ゾーンが２つのサブゾーンに分けられなければならないことを示す。
【００４７】
図６において、２つのゾーンのそれぞれが２つのサブゾーンに分けられることにより、総４つのサブゾーンが配置される。即ち、図６に示すように、２つのゾーンがサブゾーン（０，０）、サブゾーン（１，０）、サブゾーン（０，１）、及びサブゾーン（１，１）の順に交互に反復され、フレームにマッピングされる。また、対応するゾーンのサイズは、各ゾーンに属している２つのサブゾーンを合わせることにより決定される。
【００４８】
また、例えば、ゾーン０についてより詳細に説明すると、４つのサービスのそれぞれがサービス当たりの４つのサブスライスで構成され、対応するゾーンが２つのサブゾーンで構成されるので、１番目のサブゾーンは、１番目及び２番目のサブスライスグループを送信し、２番目のサブゾーンは、３番目及び４番目のサブスライスグループを送信する。即ち、各サービスの１番目の４つのサブスライス及び各サービスの２番目の４つのサブスライスを含む総８つのサブスライスは、ゾーン０の１番目のサブゾーン（０，０）を介して送信され、各サービスの残りの３番目及び４番目のサブスライスを含む総８つのサブスライスは、ゾーン０の２番目のサブゾーン（０，１）にマッピングされた後に送信される。他方、ゾーン１の場合には、総８つのサブスライスの中で各サービスに対して１番目のサブスライスで構成されたサブスライスグループがゾーン１の１番目のサブゾーン（１，０）にマッピングされることを示す。
【００４９】
参考までに、従来のサービス分割基盤フレーム構成方式において、サービス当たりのサブスライス数及び各サービスの１番目のサブスライスの開始点ｓｔａｒｔ＿（ｘ，０）（例えば、サービスｘのサブスライス０）及び各サービスの１番目のサブスライスの長さｌｅｎｇｔｈ＿（ｘ，０）がスケジューリング情報として考慮されるために、ターゲットサービスの１番目のサブスライスの開始点ｓｔａｒｔ＿０及び同一のサービスに属しているサブスライス間の間隔Ｄだけ認識していると、残りのサブスライスの位置は、自動で決定することができる。この際に、例えば、各サービスが４つのサブスライスで構成される場合に、同一のサービスに属しているサブスライス間の間隔Ｄは、全フレーム長さをサービス分割回数で割ることにより決定された値となる。従って、残りの３つのサブスライスの位置は、それぞれｓｔａｒｔ＿（ｘ，０）＋Ｄ、ｓｔａｒｔ＿（ｘ，０）＋Ｄ×２、及びｓｔａｒｔ＿（ｘ，０）＋Ｄ×３となる。この際に、フレーム長さは、ＯＦＤＭシンボルのサブキャリアの単位で決定することができる。例えば、１つのフレームが１００個のシンボルで構成され、各ＯＦＤＭシンボルが６０００個のサブキャリアで構成されると、対応するフレームの長さは、６０００×１００となる。
【００５０】
本実施形態によるサービス分割基盤フレーム構成方式において、端末は、所望のターゲットサービスを受信するために対応するターゲットサービスに関する追加のスケジューリング情報を取得しなければならない。対応するスケジューリング情報として、端末は、各ゾーンのサイズ、各ゾーンに対するサービス分割回数（即ち、サービス当たりのサブスライス数）、及び各ゾーンに含まれているサービスの数を認識しなければならない。即ち、２つのゾーンが定義されると、ゾーン０のサイズＳＩＺＥ＿Ｚ０、ゾーン１のサイズＳＩＺＥ＿Ｚ１、ゾーン０のサービス当たりのサブスライス個数ＮＵＭ＿ＳＵＢ−ＳＬＩＣＥ＿ＳＥＲＶＩＣＥ＿Ｚ０、ゾーン１のサービス当たりのサブスライス個数ＮＵＭ＿ＳＵＢ−ＳＬＩＣＥ＿ＳＥＲＶＩＣＥ＿Ｚ１、ゾーン０のサービス個数ＮＵＭ＿ＳＥＲＶＩＣＥ＿Ｚ０、及びゾーン１のサービス数ＮＵＭ＿ＳＥＲＶＩＣＥ＿Ｚ１の総６つのスケジューリング情報が必要である。
【００５１】
ゾーン０のサービス個数ＮＵＭ＿ＳＥＲＶＩＣＥ＿Ｚ０を認識する場合に、ゾーン１のサービス個数ＮＵＭ＿ＳＥＲＶＩＣＥ＿Ｚ１は、総サービス個数からＮＵＭ＿ＳＥＲＶＩＣＥ＿Ｚ０を引くことにより決定される。例えば、２０個のサービスが対応するフレームを介して送信されると仮定すると、追加のオーバーヘッドの発生を避けるために２０個のサービスに対するサービスインデックスがサイズの順に列挙される際に、１番目の１５個のサービスが１番目のゾーンに含まれていると、残りの５個のサービスは、２番目のゾーンに自動で含まれる。
【００５２】
また、ゾーン０に含まれている各サービスの１番目のサブスライスの長さｌｅｎｇｔｈ＿（ｘ，０）を合わせることにより決定された長さが１つのサブスライスグループの長さとなり、サービス当たりのサブスライス個数ＮＵＭ＿ＳＵＢ−ＳＬＩＣＥ＿ＳＥＲＶＩＣＥ＿Ｚ０に対応する全てのサブスライスグループは、同一のサイズを有する。例えば、ゾーン０が４つのサービス及びサービス当たりの４つのサブスライスを有すると、１番目のサブスライスグループの長さは、４つのサービスのサブスライスの長さを合わせることにより決定された長さｌｅｎｇｔｈ＿（０，０）＋ｌｅｎｇｔｈ＿（１，０）＋ｌｅｎｇｔｈ＿（２，０）＋ｌｅｎｇｔｈ＿（３，０）となる。サブスライスグループの個数がサービス当たりのサブスライス個数ＮＵＭ＿ＳＵＢ−ＳＬＩＣＥ＿ＳＥＲＶＩＣＥ＿Ｚ０となるので、ゾーン０のサイズＳＩＺＥ＿Ｚ０は、（サブスライスグループサイズ）×ＮＵＭ＿ＳＵＢ−ＳＬＩＣＥ＿ＳＥＲＶＩＣＥ＿Ｚ０となる。
【００５３】
言い換えれば、ゾーン０のサービス個数ＮＵＭ＿ＳＥＲＶＩＣＥ＿Ｚ０及びゾーン０のサービス当たりのサブスライス個数ＮＵＭ＿ＳＵＢ−ＳＬＩＣＥ＿ＳＥＲＶＩＣＥ＿Ｚ０を認識すると、ゾーン０のサイズＳＩＺＥ＿Ｚ０を決定する。また、ゾーン１のサイズＳＩＺＥ＿Ｚ１は、全フレームサイズからゾーン０のサイズＳＩＺＥ＿Ｚ０を引くことにより決定される。
【００５４】
結果的に、ゾーン０のサービス個数ＮＵＭ＿ＳＥＲＶＩＣＥ＿Ｚ０、ゾーン０のサービス当たりのサブスライス個数ＮＵＭ＿ＳＵＢ−ＳＬＩＣＥ＿ＳＥＲＶＩＣＥ＿Ｚ０、及びゾーン１のサービス当たりのサブスライス個数ＮＵＭ＿ＳＵＢ−ＳＬＩＣＥ＿ＳＥＲＶＩＣＥ＿Ｚ１を認識すると、端末は、ターゲットサービスを受信する際に付加的に必要な６個のスケジューリング情報を全て取得することができる。
【００５５】
図６に示すダイバーシティ方式において、各ゾーンが同一の個数のサブゾーンに分けられ、分散方式にてフレーム期間の間にマッピングされるが、ゾーンごとに相互に異なる数のサブゾーンで構成されてもよい。
【００５６】
図７は、図６のダイバーシティ方式に基づくゾーンマッピングでゾーンごとに異なる個数のサブゾーンを有する例を示す。例えば、３つのゾーンが１つのフレーム内に存在する際に、ゾーン０及びゾーン１は、２つのサブゾーンに分けられ、ゾーン２は、１つのサブゾーン（即ち、ゾーン２は、複数のサブゾーンに分けられない）を有する。これは、特別な目的のために（例えば、移動端末のためのデータ送信のために）１つのゾーンを複数のサブゾーンに分け、これらを１つのフレーム期間内で分散させず、対応するゾーンが占める連続時間期間の間にサービスデータを送信することが好ましいためである。
【００５７】
図８は、本発明の一実施形態による送信器での動作を示す図である。
【００５８】
図８を参照すると、送信器は、ステップ５０２で、対応するフレームで使用するゾーンの個数及びゾーン配置方式を決定する。この際に、ゾーン配置は、１つのフレームに割り当てられる複数のゾーンがどのように対応するフレームに物理的にマッピングされるかを示す。本実施形態において、送信器は、対応する方式が１ビットインジケーションを用いてＴＤＭ方式であるか又はダイバーシティ方式であるかを通知することができる。ゾーンの個数が固定され（例えば、２つに）、ダイバーシティ方式が使用されると、ステップ５０２は省略してもよい。
【００５９】
ステップ５０４で、各ゾーンが対応するフレームで占める領域のサイズ及び各ゾーンの具体的なパラメータ値を決定する。即ち、送信器は、各ゾーンのサイズ及び各ゾーンで幾つのサービスが送信されるか、そして各サービスが幾つのサブスライスに分割されなければならないかを決定する。２つのゾーン及びダイバーシティゾーンマッピング方式を仮定すると、送信器は、各ゾーンでサービス当たりのサブスライス個数及び１番目（又は２番目）ゾーンのサービス個数を決定するだけでよい。ステップ５０２及び５０４を介して決定される付加のパラメータ値は、個別の制御チャネルであるＰ２を介して送信されるために、ステップ５０６で、Ｐ２に含まれなければならない他の制御情報（例えば、サービス別変調、符号化率、順方向エラー訂正（ＦＦＣ）ブロック数、サブスライス別長さ、及び開始位置など）と共に構成される。この際に、ゾーン関連パラメータ値は、インバンド形態でサービストラフィックと共にシグナリングすることができ、シグナリング方式に従って、ゾーン個数、ゾーンマッピング方式、ゾーン別サイズ、ゾーン別サービス当たりのサブスライス数、及び受信中であるサービスが属しているゾーンに含まれているサービス数の一部又は全体のパラメータが含まれる。最後に、ステップ５０８で、送信器は、制御チャネル及びサービスチャネルを用いてフレームを構成し、これを端末に送信する。
【００６０】
図９は、本発明の一実施形態による受信器での動作を示す図である。
【００６１】
図９を参照すると、ステップ６０２で、端末、又は受信器は、フレームを受信する際に、ステップ６０４で、Ｐ２及び／又はインバンドシグナリングを介して送信された制御情報を復調する。ステップ６０６で、受信器は、復調されたこの制御情報からゾーン関連パラメータ値を抽出する。例えば、２つのゾーン及びダイバーシティゾーンマッピング方式を仮定する場合に、受信器は、各ゾーンに対するサブスライス個数及び１番目（又は２番目）のゾーンに含まれているサービス個数をＰ２プリアンブルから見出すようにする。ステップ６０６で得られたゾーン関連パラメータ値に基づいて、受信器は、ステップ６０８で、対応するフレームで所望のサービスが含まれるゾーンのサイズ、ゾーンの位置、及び対応するゾーンで同一のサービスに属しているサブスライス間の距離（即ち、サービス個数及びサービス当たりのサブスライス個数に従って幾つのサブスライスごとに送信されるか）を用いてターゲットサービスを復調する。
【００６２】
図１０は、本発明の一実施形態による送信器を示す図である。
【００６３】
図１０を参照すると、ゾーン関連パラメータ生成器７０２から出力されたゾーンパラメータ値を用いて、Ｐ２プリアンブル生成器７０４及びインバンド制御情報生成器７０６は、関連制御情報を生成する。サービストラフィック構成器７１０は、インバンド制御情報生成器７０６から生成されたサービストラフィックに挿入されなければならない制御情報及びサービストラフィック生成器７０８により生成されたサービストラフィックを受信し、この受信したデータを用いて実質的なサービスデータを構成する。フレーム構成器７１２は、Ｐ２プリアンブル生成器７０４で生成したＰ２プリアンブル信号及びサービストラフィック構成器７１０で生成したサービストラフィックを用いてデータを構成し、このデータを１つのフレームに割り当てた後に、フレーム送信器７１４を介して対応するフレームを送信する。
【００６４】
図１１は、本発明の一実施形態による受信器を示す図である。
【００６５】
受信器について説明する前に、フレーム構成について更に説明する。フレームは、Ｐ２プリアンブル及び１つ以上のサービストラフィックで構成される。Ｐ２プリアンブルが、各サービストラフィックがフレーム内のどの位置で送信されるかを示すスケジューリング情報を含む制御情報を送信するので、サービスデータより前に位置し、これにより、先ず端末がＰ２プリアンブルを復調することができるようにする。また、１つのサービスは、ＯＦＤＭシンボルの単位でなくサブキャリアの単位で構成することができる。言い換えれば、１つのフレームが複数のＯＦＤＭシンボルで構成されると仮定すると、フレームに含まれている各サービスは、シンボルの単位ではなく、サブキャリアの単位で構成され、これにより、対応するフレームで送信されるブロードキャストサービスの送信時間間隔（ＴＴＩ）に対する柔軟性を最大に許容するようにする。
【００６６】
一方、この制御情報は、サービスデータとともに送信されることもある。現在のプリアンブルで所望のサービストラフィックを受信するためには、対応するサービスに関するスケジューリング情報を予め取得しなければならない。従って、これは、現在のフレームの前のフレームを介して送信されたターゲットサービスに対する復調を介して制御情報を得ることができるようにする（即ち、インバンドシグナリングを示す）。
【００６７】
このサービスデータ又はインバンドシグナリングは、図示しない受信器を介して受信され、この受信されたサービスデータ又はインバンドシグナリングは、制御情報復調器８０２により復調される。制御情報復調器８０２を介して取得された１番目又は２番目のゾーン（即ち、２つのゾーンの中の１つ）に含まれているサービスの個数及び各ゾーンのサービス当たりのサブスライスの個数に関する情報を含むサービスの復調に必要な様々な制御情報は、制御器８０４に入力される。
【００６８】
制御器８０４は、入力された制御情報を用いてフレーム内のターゲットサービスの位置を見いだすのに必要な残りのパラメータ値を計算する。即ち、制御器８０４は、制御情報復調器８０２から受信した各ゾーンのサービス当たりのサブスライスの個数及び１番目又は２番目のゾーン（即ち、２つのゾーンの中の１つ）に含まれているサービスの個数に対するパラメータ値に基づいて、各ゾーンのサイズ及び１番目又は２番目のゾーン（即ち、２つのゾーンの中の残りの１つ）に含まれているサービスの個数に対するパラメータ値を計算する。この際に、２つのゾーンが交互に反復されるかを示すゾーン配置パターンを決定することもできる。
【００６９】
制御器８０４は、フレーム内のターゲットサービスの位置に関連した全てのパラメータ値を制御情報復調器８０２が取得した他の制御情報と共にサービス受信器８０６に出力する。サービス受信器８０６は、受信した１つ以上のサービストラフィックを含む。
【００７０】
サブキャリア抽出器８０８は、所望のターゲットサービスを構成する１つ以上のサブスライス（即ち、１つのサービスが複数のサブスライスに分割されない場合）が送信されるサブキャリアのデータ値をサービス受信器８０６から読み出す。このために、サブキャリア抽出器８０８は、制御器８０４から出力されたパラメータ値を用いてターゲットサービスに対する正確なサービス位置を認識する。例えば、２０個のサービスが対応するフレームを介して送信され、ゾーン０に含まれているサービスの個数が１５であると仮定すると、ターゲットサービスのサービスインデックスは、１０番目であると仮定する。従って、ターゲットサービスがゾーン０に属していることを認識する。また、ゾーン０のサービス当たりのサブスライスの個数が４であると、ターゲットサービスに属している複数のサブスライス間の間隔がゾーン０のサイズを４で割った値となる。
【００７１】
従って、サブキャリア抽出器８０８は、ターゲットサービスの１番目のサブスライスの開始位置及びサイズに関するスケジューリング情報を用いて対応するフレームで１番目のサブスライスの位置及び送信期間の長さを認識し、サブスライス間の間隔及び残りのゾーンのサイズを用いて残りのサブスライスの開始位置及びサイズを計算する。サービス当たりのサブスライスの個数が４であるため、残りの３つのサブスライスの開始位置は、１番目のサブスライスの開始位置でサブスライス間の間隔値をそれぞれ１回、２回及び３回加えた値となる。例えば、３番目のサブスライスの開始位置は、（‘１番目のサブスライスの開始位置’＋‘サブスライス間の間隔’×２）となる。
【００７２】
また、２つのゾーンが交互に２回反復されると仮定すると、各ゾーンの１／２サイズを有する２つのサブゾーンが各ゾーンを構成することを意味する。従って、ゾーン０の場合に、ターゲットサービスの１番目の２つのサブスライスは、１番目のサブゾーンを介して送信され、残りの２つのサブスライスは、２番目のサブゾーンを介して送信される。また、ゾーン０の１番目のサブゾーンと２番目のサブゾーン間には、ゾーン１の１番目のサブゾーンが存在することが分かる。従って、ゾーン０に属しているサービスの３番目のサブスライスの開始位置は、ゾーン１のサブゾーンのサイズを考慮して計算されなければならない。即ち、３番目のサブスライスの開始位置は、（‘１番目のサブスライスの開始位置’＋‘サブスライス間の間隔’×２＋（ゾーン１のサイズ）／２）となる。
【００７３】
サブキャリア抽出器８０８から出力されたターゲットサービスのデータ値は、サービス復調器８１０に入力される。サービス復調器８１０は、時間デインターリーバと、復調器（送信器でのＱＰＳＫ及びＭ−ＱＡＭ変調器に対応する受信器のプロセッサ）と、チャネル復号器（送信器でのチャネル符号化に対応する受信器のプロセッサ）とを含む通常のＤＶＢ−Ｔ２システムの受信器構成を含む。
【００７４】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７５】
１０２    送信器
１０４    受信器
７０２    ゾーン関連パラメータ生成器
７０４    Ｐ２プリアンブル生成器
７０６    インバンド制御情報生成器
７０８    サービストラフィック生成器
７１０    サービストラフィック構成器
７１２    フレーム構成器
７１４    フレーム送信器
８０２    制御情報復調器
８０４    制御器
８０６    サービス受信器
８０８    サブキャリア抽出器
８１０    サービス復調器
【図１】
2011511546.tif 000003
【図２】
2011511546.tif 000004
【図３】
2011511546.tif 000005
【図４】
2011511546.tif 000006
【図５】
2011511546.tif 000007
【図６】
2011511546.tif 000008
【図７】
2011511546.tif 000009
【図８】
2011511546.tif 000010
【図９】
2011511546.tif 000011
【図１０】
2011511546.tif 000012
【図１１】
2011511546.tif 000013
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
デジタルブロードキャスト通信システムにおけるブロードキャストサービスデータ構成方法であって、
第１のタイプのブロードキャストサービスデータに対応する第１のゾーンと第２のタイプのブロードキャストサービスデータに対応する第２のゾーンとをフレームにマッピングするステップを有し、
前記第１のゾーン及び前記第２のゾーンに含まれるブロードキャストサービスデータは、各ゾーンに割り当てられたサービス分割回数に従ってサブスライスに分割され、
前記第１のゾーンに対するサービス分割回数と前記第２のゾーンに対するサービス分割回数とは相互に異なることを特徴とするブロードキャストサービスデータ構成方法。
【請求項２】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項１に記載のブロードキャストサービスデータ構成方法。
【請求項３】
前記ブロードキャストサービスデータは、各ゾーンに対するサービス分割回数に対応するサブスライスに分割されることを特徴とする請求項１に記載のブロードキャストサービスデータ構成方法。
【請求項４】
前記各ゾーンで同一のブロードキャストサービスに属する前記サブスライス間の間隔は、前記各ゾーンで最大に離隔することを特徴とする請求項３に記載のブロードキャストサービスデータ構成方法。
【請求項５】
前記第１のゾーンのサービス分割回数は、前記第２のゾーンのサービス分割回数より小さいことを特徴とする請求項１に記載のブロードキャストサービスデータ構成方法。
【請求項６】
前記第１のゾーン及び前記第２のゾーンは、各ゾーンが時間領域で連続して割り当てられる時間分割多重化（ＴＤＭ）方式を用いて前記フレームにマッピングされることを特徴とする請求項１に記載のブロードキャストサービスデータ構成方法。
【請求項７】
前記第１のゾーン及び前記第２のゾーンは、分散形態で各ゾーンが時間領域で分散されるように前記フレームにマッピングされることを特徴とする請求項１に記載のブロードキャストサービスデータ構成方法。
【請求項８】
デジタルブロードキャスト通信システムにおけるブロードキャストサービスデータを含むフレームであって、
前記フレームは、第１のタイプのブロードキャストサービスデータに対応する第１のゾーンと第２のタイプのブロードキャストサービスデータに対応する第２のゾーンとが前記フレームにマッピングされ、前記第１のゾーン及び前記第２のゾーンに含まれるブロードキャストサービスデータは、各ゾーンに割り当てられたサービス分割回数に従ってサブスライスに分割され、
前記第１のゾーンに対するサービス分割回数と前記第２のゾーンに対するサービス分割回数とは相互に異なることを特徴とするブロードキャストサービスデータを含むフレーム。
【請求項９】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項８に記載のブロードキャストサービスデータを含むフレーム。
【請求項１０】
前記ブロードキャストサービスデータは、各ゾーンに対するサービス分割回数に対応するサブスライスに分割されることを特徴とする請求項８に記載のブロードキャストサービスデータを含むフレーム。
【請求項１１】
前記各ゾーンで同一のブロードキャストサービスに属する前記サブスライス間の間隔は、前記各ゾーンで最大に離隔することを特徴とする請求項１０に記載のブロードキャストサービスデータを含むフレーム。
【請求項１２】
前記第１のゾーンのサービス分割回数は、前記第２のゾーンのサービス分割回数より小さいことを特徴とする請求項８に記載のブロードキャストサービスデータを含むフレーム。
【請求項１３】
前記第１のゾーン及び前記第２のゾーンは、各ゾーンが時間領域で連続して割り当てられる時間分割多重化（ＴＤＭ）方式を用いて前記フレームにマッピングされることを特徴とする請求項８に記載のブロードキャストサービスデータを含むフレーム。
【請求項１４】
前記第１のゾーン及び前記第２のゾーンは、分散形態で各ゾーンが時間領域で分散されるように前記フレームにマッピングされることを特徴とする請求項８に記載のブロードキャストサービスデータを含むフレーム。
【請求項１５】
デジタルブロードキャスト通信システムにおけるブロードキャストサービスデータ送信方法であって、
第１のタイプのブロードキャストサービスデータに対応する第１のゾーンと第２のタイプのブロードキャストサービスデータに対応する第２のゾーンとをフレームにマッピングするステップと、
前記フレームを送信するステップと、を有し、
前記第１のゾーン及び前記第２のゾーンに含まれるブロードキャストサービスデータは、各ゾーンに割り当てられたサービス分割回数に従ってサブスライスに分割され、
前記第１のゾーンに対するサービス分割回数と前記第２のゾーンに対するサービス分割回数とは相互に異なることを特徴とするブロードキャストサービスデータ送信方法。
【請求項１６】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項１５に記載のブロードキャストサービスデータ送信方法。
【請求項１７】
前記ブロードキャストサービスデータは、各ゾーンに対するサービス分割回数に対応するサブスライスに分割されることを特徴とする請求項１５に記載のブロードキャストサービスデータ送信方法。
【請求項１８】
前記各ゾーンで同一のブロードキャストサービスに属する前記サブスライス間の間隔は、前記各ゾーンで最大に離隔することを特徴とする請求項１７に記載のブロードキャストサービスデータ送信方法。
【請求項１９】
前記第１のゾーンのサービス分割回数は、前記第２のゾーンのサービス分割回数より小さいことを特徴とする請求項１５に記載のブロードキャストサービスデータ送信方法。
【請求項２０】
前記第１のゾーン及び前記第２のゾーンは、各ゾーンが時間領域で連続して割り当てられる時間分割多重化（ＴＤＭ）方式を用いて前記フレームにマッピングされることを特徴とする請求項１５に記載のブロードキャストサービスデータ送信方法。
【請求項２１】
前記第１のゾーン及び前記第２のゾーンは、分散形態で各ゾーンが時間領域で分散されるように前記フレームにマッピングされることを特徴とする請求項１５に記載のブロードキャストサービスデータ送信方法。
【請求項２２】
デジタルブロードキャスト通信システムにおけるブロードキャストサービスデータ受信方法であって、
前記ブロードキャストサービスデータが含まれるフレームを受信するステップを有し、
第１のタイプのブロードキャストサービスデータに対応する第１のゾーンと第２のタイプのブロードキャストサービスデータに対応する第２のゾーンとが前記フレームにマッピングされ、前記第１のゾーン及び前記第２のゾーンに含まれるブロードキャストサービスデータは、各ゾーンに割り当てられたサービス分割回数に従ってサブスライスに分割され、
前記第１のゾーンに対するサービス分割回数と前記第２のゾーンに対するサービス分割回数とは相互に異なることを特徴とするブロードキャストサービスデータ受信方法。
【請求項２３】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項２２に記載のブロードキャストサービスデータ受信方法。
【請求項２４】
前記ブロードキャストサービスデータは、各ゾーンに対するサービス分割回数に対応するサブスライスに分割されることを特徴とする請求項２２に記載のブロードキャストサービスデータ受信方法。
【請求項２５】
前記各ゾーンで同一のブロードキャストサービスに属する前記サブスライス間の間隔は、前記各ゾーンで最大に離隔することを特徴とする請求項２４に記載のブロードキャストサービスデータ受信方法。
【請求項２６】
前記第１のゾーンのサービス分割回数は、前記第２のゾーンのサービス分割回数より小さいことを特徴とする請求項２２に記載のブロードキャストサービスデータ受信方法。
【請求項２７】
前記第１のゾーン及び前記第２のゾーンは、各ゾーンが時間領域で連続して割り当てられる時間分割多重化（ＴＤＭ）方式を用いて前記フレームにマッピングされることを特徴とする請求項２２に記載のブロードキャストサービスデータ受信方法。
【請求項２８】
前記第１のゾーン及び前記第２のゾーンは、分散形態で各ゾーンが時間領域で分散されるように前記フレームにマッピングされることを特徴とする請求項２２に記載のブロードキャストサービスデータ受信方法。
【請求項２９】
デジタルブロードキャスト通信システムにおけるブロードキャストサービスデータ送信装置であって、
第１のタイプのブロードキャストサービスデータに対応する第１のゾーンと第２のタイプのブロードキャストサービスデータに対応する第２のゾーンとをフレームにマッピングすることにより前記フレームを構成するフレーム構成器と、
前記構成されたフレームを送信するフレーム送信器と、を具備し、
前記第１のゾーン及び前記第２のゾーンに含まれるブロードキャストサービスデータは、各ゾーンに割り当てられたサービス分割回数に従ってサブスライスに分割され、
前記第１のゾーンに対するサービス分割回数と前記第２のゾーンに対するサービス分割回数とは相互に異なることを特徴とするブロードキャストサービスデータ送信装置。
【請求項３０】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項２９に記載のブロードキャストサービスデータ送信装置。
【請求項３１】
前記ブロードキャストサービスデータは、各ゾーンに対するサービス分割回数に対応するサブスライスに分割されることを特徴とする請求項２９に記載のブロードキャストサービスデータ送信装置。
【請求項３２】
前記各ゾーンで同一のブロードキャストサービスに属する前記サブスライス間の間隔は、前記各ゾーンで最大に離隔することを特徴とする請求項３１に記載のブロードキャストサービスデータ送信装置。
【請求項３３】
前記第１のゾーンのサービス分割回数は、前記第２のゾーンのサービス分割回数より小さいことを特徴とする請求項２９に記載のブロードキャストサービスデータ送信装置。
【請求項３４】
前記第１のゾーン及び前記第２のゾーンは、各ゾーンが時間領域で連続して割り当てられる時間分割多重化（ＴＤＭ）方式を用いて前記フレームにマッピングされることを特徴とする請求項２９に記載のブロードキャストサービスデータ送信装置。
【請求項３５】
前記第１のゾーン及び前記第２のゾーンは、分散形態で各ゾーンが時間領域で分散されるように前記フレームにマッピングされることを特徴とする請求項２９に記載のブロードキャストサービスデータ送信装置。
【請求項３６】
デジタルブロードキャスト通信システムにおけるブロードキャストサービスデータ受信装置であって、
前記ブロードキャストサービスデータが含まれるフレームを受信し、該受信したフレームを復調する受信器を具備し、
第１のタイプのブロードキャストサービスデータに対応する第１のゾーンと第２のタイプのブロードキャストサービスデータに対応する第２のゾーンとが前記フレームにマッピングされ、前記第１のゾーン及び前記第２のゾーンに含まれるブロードキャストサービスデータは、各ゾーンに割り当てられたサービス分割回数に従ってサブスライスに分割され、
前記第１のゾーンに対するサービス分割回数と前記第２のゾーンに対するサービス分割回数とは相互に異なることを特徴とするブロードキャストサービスデータ受信装置。
【請求項３７】
前記第１のタイプのブロードキャストサービスデータは、移動型端末に対するブロードキャストサービスデータを具備し、前記第２のタイプのブロードキャストサービスデータは、固定型端末に対するブロードキャストサービスデータを具備することを特徴とする請求項３６に記載のブロードキャストサービスデータ受信装置。
【請求項３８】
前記ブロードキャストサービスデータは、各ゾーンに対するサービス分割回数に対応するサブスライスに分割されることを特徴とする請求項３６に記載のブロードキャストサービスデータ受信装置。
【請求項３９】
前記各ゾーンで同一のブロードキャストサービスに属する前記サブスライス間の間隔は、前記各ゾーンで最大に離隔することを特徴とする請求項３８に記載のブロードキャストサービスデータ受信装置。
【請求項４０】
前記第１のゾーンのサービス分割回数は、前記第２のゾーンのサービス分割回数より小さいことを特徴とする請求項３６に記載のブロードキャストサービスデータ受信装置。
【請求項４１】
前記第１のゾーン及び前記第２のゾーンは、各ゾーンが時間領域で連続して割り当てられる時間分割多重化（ＴＤＭ）方式を用いて前記フレームにマッピングされることを特徴とする請求項３６に記載のブロードキャストサービスデータ受信装置。
【請求項４２】
前記第１のゾーン及び前記第２のゾーンは、分散形態で各ゾーンが時間領域で分散されるように前記フレームにマッピングされることを特徴とする請求項３６に記載のブロードキャストサービスデータ受信装置。
【手続補正２】
【補正対象書類名】明細書
【補正対象項目名】００２３
【補正方法】変更
【補正の内容】
【００２３】
上記目的を達成するために、本発明の一態様によれば、デジタルブロードキャスト通信システムにおけるブロードキャストサービスデータ構成方法を提供する。前記方法は、第１のタイプのブロードキャストサービスデータに対応する第１のゾーンと第２のタイプのブロードキャストサービスデータに対応する第２のゾーンとをフレームにマッピングするステップを有し、前記第１のゾーン及び前記第２のゾーンに含まれるブロードキャストサービスデータは、各ゾーンに割り当てられたサービス分割回数に従ってサブスライスに分割され、前記第１のゾーンに対するサービス分割回数と前記第２のゾーンに対するサービス分割回数とは相互に異なることを特徴とする。
【手続補正３】
【補正対象書類名】明細書
【補正対象項目名】００２４
【補正方法】変更
【補正の内容】
【００２４】
本発明の他の態様によれば、デジタルブロードキャスト通信システムにおけるブロードキャストサービスデータを含むフレームを提供する。前記フレームは、第１のタイプのブロードキャストサービスデータに対応する第１のゾーンと第２のタイプのブロードキャストサービスデータに対応する第２のゾーンとが前記フレームにマッピングされ、前記第１のゾーン及び前記第２のゾーンに含まれるブロードキャストサービスデータは、各ゾーンに割り当てられたサービス分割回数に従ってサブスライスに分割され、前記第１のゾーンに対するサービス分割回数と前記第２のゾーンに対するサービス分割回数とは相互に異なることを特徴とする。
【手続補正４】
【補正対象書類名】明細書
【補正対象項目名】００２５
【補正方法】変更
【補正の内容】
【００２５】
本発明の更に他の態様によれば、デジタルブロードキャスト通信システムにおけるブロードキャストサービスデータ送信方法を提供する。前記方法は、第１のタイプのブロードキャストサービスデータに対応する第１のゾーンと第２のタイプのブロードキャストサービスデータに対応する第２のゾーンとをフレームにマッピングするステップと、前記フレームを送信するステップと、を有し、前記第１のゾーン及び前記第２のゾーンに含まれるブロードキャストサービスデータは、各ゾーンに割り当てられたサービス分割回数に従ってサブスライスに分割され、前記第１のゾーンに対するサービス分割回数と前記第２のゾーンに対するサービス分割回数とは相互に異なることを特徴とする。
【手続補正５】
【補正対象書類名】明細書
【補正対象項目名】００２６
【補正方法】変更
【補正の内容】
【００２６】
本発明の更なる他の態様によれば、デジタルブロードキャスト通信システムにおけるブロードキャストサービスデータ受信方法を提供する。前記方法は、前記ブロードキャストサービスデータが含まれるフレームを受信するステップを有し、第１のタイプのブロードキャストサービスデータに対応する第１のゾーンと第２のタイプのブロードキャストサービスデータに対応する第２のゾーンとがフレームにマッピングされ、前記第１のゾーン及び前記第２のゾーンに含まれるブロードキャストサービスデータは、各ゾーンに割り当てられたサービス分割回数に従ってサブスライスに分割され、前記第１のゾーンに対するサービス分割回数と前記第２のゾーンに対するサービス分割回数とは相互に異なることを特徴とする。
【手続補正６】
【補正対象書類名】明細書
【補正対象項目名】００２７
【補正方法】変更
【補正の内容】
【００２７】
本発明の更なる他の１つの態様によれば、デジタルブロードキャスト通信システムにおけるブロードキャストサービスデータ送信装置を提供する。前記装置は、第１のタイプのブロードキャストサービスデータに対応する第１のゾーンと第２のタイプのブロードキャストサービスデータに対応する第２のゾーンとをフレームにマッピングすることにより前記フレームを構成するフレーム構成器と、前記構成されたフレームを送信するフレーム送信器と、を具備し、前記第１のゾーン及び前記第２のゾーンに含まれるブロードキャストサービスデータは、各ゾーンに割り当てられたサービス分割回数に従ってサブスライスに分割され、前記第１のゾーンに対するサービス分割回数と前記第２のゾーンに対するサービス分割回数とは相互に異なることを特徴とする。
【手続補正７】
【補正対象書類名】明細書
【補正対象項目名】００２８
【補正方法】変更
【補正の内容】
【００２８】
本発明の更にまた他の態様によれば、デジタルブロードキャスト通信システムにおけるブロードキャストサービスデータ受信装置を提供する。前記装置は、前記ブロードキャストサービスデータが含まれるフレームを受信し、該受信したフレームを復調する受信器を具備し、第１のタイプのブロードキャストサービスデータに対応する第１のゾーンと第２のタイプのブロードキャストサービスデータに対応する第２のゾーンとが前記フレームにマッピングされ、前記第１のゾーン及び前記第２のゾーンに含まれるブロードキャストサービスデータは、各ゾーンに割り当てられたサービス分割回数に従ってサブスライスに分割され、前記第１のゾーンに対するサービス分割回数と前記第２のゾーンに対するサービス分割回数とは相互に異なることを特徴とする。
【国際調査報告】
2011511546.tif 000014
2011511546.tif 000015